(57)【特許請求の範囲】
【請求項１】
浴槽の排水栓の開閉を、浴室内及び台所等の別室に設置したリモコンから操作可能とした排水栓装置において、前記浴室内のリモコンには、前記排水栓装置を操作するための赤外線信号を発信し得る発信部を設け、該発信部からの信号を受信部で受信して、前記排水栓装置が作動されるものにおいて、別室又は浴室内のリモコンで排水栓装置が操作された際に、排水栓装置の電動操作部が動作中である旨を、ランプ表示，音等で報知する報知手段が前記受信部とともに設けられており、報知手段と受信部は浴室内に設けたことを特徴とする排水栓装置。
【発明の詳細な説明】
【０００１】
【発明の属する技術分野】
この発明は、排水栓装置に関するものである。
【０００２】
【従来の技術及び発明が解決しようとする課題】
従来、例えば特開平１０−２１２７４７号公報に開示されているように、浴槽の排水栓を台所等からの遠隔操作で電動開閉させる排水栓装置が存在し、それらには、台所の操作リモコンと浴槽の排水栓が、給湯機器を介する等して電気配線で接続され、排水栓の開閉状態をランプ等で表示するものがある。
また、特開２０００−２８７２８３号公報に開示されているように、操作リモコン部で作動状態を表示し、操作者が作動状態を確認できるように構成したものもある。また、発明者らは、遠隔操作を赤外線で送受信する方式のものを既に提案している。
【０００３】
従来では、台所等から排水栓の操作がされた際に、排水栓の作動状態を浴室内で報知する手段がないため、台所等で操作され、排水栓装置が電動動作中に、浴室にいる別の人が排水栓装置の手動ボタンを強制的に押してしまうと、破損，故障したり、思い通りの開閉状態にならない可能性があった。
また、浴室で入浴や掃除中に、台所等から別の人が操作することで、浴室にいる人が作動中であることに気付かず、排水栓の上を踏んだり、排水栓上に物を置いたりして、故障につながることもある。
【０００４】
なお、遠隔操作を赤外線信号で送受信する方式の場合、排水栓の状態が遠隔操作する操作部までフィードバックされないため、操作時にきちんと受信されたか否かを操作部では確認できず、例えば、操作したにもかかわらず、排水栓が作動しなかった場合、信号の送受信に不具合があるのか、受信はしたものの、それ以外の要因で作動しないのか、判定できない可能性があった。
また、浴室で入浴や掃除をしている人がいた場合、台所で操作されたために、突然排水栓が作動してビックリする可能性があった。
さらに、排水栓の状態が遠隔操作する操作部までフィードバックされないため、きちっと作動したか否かを操作部では確認できず、また、浴室で確認するにも動作不良であったか否かが判定しにくいという問題点があった。
【０００５】
【課題を解決するための手段】
本発明は上記従来の問題点に鑑み案出したものであって、排水栓が正常に作動しているか否かを良好に確認できる排水栓装置を提供せんことを目的とし、その要旨は、浴槽の排水栓の開閉を、浴室内及び台所等の別室に設置したリモコンから操作可能とした排水栓装置において、前記浴室内のリモコンには、前記排水栓装置を操作するための赤外線信号を発信し得る発信部を設け、該発信部からの信号を受信部で受信して、前記排水栓装置が作動されるものにおいて、別室又は浴室内のリモコンで排水栓装置が操作された際に、排水栓装置の電動操作部が動作中である旨を、ランプ表示，音等で報知する報知手段が前記受信部とともに設けられており、報知手段と受信部は浴室内に設けたことである。
【０００６】
【発明の実施の形態】
以下、本発明の実施例を図面に基づいて説明する。
図１は、浴室の概略構成図であり、浴室１内に設けられた浴槽２の底部には栓部４が設けられ、栓部４は作動力伝達部５（レリース等）を介して電動操作部６に接続されて排水栓装置３が構成されており、浴室の天井裏には、排水栓装置３の電動操作部６に電源を供給し、電動操作部６を制御するための電源，制御部７が設けられている。
また、浴槽２内に湯を供給するための給湯装置８を操作するためのリモコン９が台所等に設けられており、給湯装置８を操作するための別のリモコン１０が浴室１内に設けられている。
この浴室リモコン１０には発信部１０ａが設けられており、発信部１０ａからの赤外線信号が、天井に設けられた受信部７ａで受信されて、電源，制御部７に信号が送られるように構成されている。
なお、排水栓装置３の電動操作部６が動作中である旨を、ランプの点灯，ブザー音等で報知する報知手段Ｒが、電動操作部６の近傍に設けられている。
【０００７】
このような構成において、台所のリモコン９の湯張りスイッチをＯＮすると、給湯装置８と連動して排水栓装置３の電動操作部６が作動し、浴槽２の底部の栓部４が開閉されて、給湯装置８で沸かされた湯が浴槽２内に供給され、浴室１内へ行かなくても、台所で湯張り操作を行い、浴槽２内に湯を溜めることができるように構成されている。
【０００８】
排水栓装置３は、図２に断面拡大図で示すような構造となっており、浴槽２の底部２ａに設置される栓部４は、浴槽の排水口１１を上下動して開閉する栓体１２と、その下方に設けられたスラストロック機構１３を有し、このスラストロック機構１３は、作動力伝達部（レリース）５が１回押されて栓体１２が上方へ移動して開くと、ロックして開状態を保持するものであり、もう一度、作動力伝達部５が押されるとロックが解除されて、栓体１２が自重で下がり、排水口１１を閉止するように構成されている。
【０００９】
前記作動力伝達部（レリース）５の外周はガイドチューブ１４で包囲されており、作動力伝達部５の他端は連結部１５を介して駆動主軸１６に連結されて、駆動主軸１６の上端は操作受部材１７に接続されたものとなっている。
この操作受部材１７には、図３に示すようにマグネットＭが設けられている。
操作受部材１７は外ケース１８内に上下動可能に設けられており、この外ケース１８内には、手動で操作できる手動操作部２１が内装されており、手動操作部２１の内側に電動操作部６が配置されている。
この電動操作部６はスラスト駆動ギアモーター式のものであり、モーターの回転で出力軸６ａをスラスト方向に移動させることができるものである。
【００１０】
外ケース１８は図４に概略斜視図で示すような構造となっており、外ケース１８の上端には外方向へ突出してフランジ１８ａが形成され、このフランジ１８ａの内側には上ネジ１８ｂが形成されており、また、外ケース１８の下端外周には下ネジ１８ｃが形成されている。
また、外ケース１８のフランジ１８ａの下方の内周には、内側へ突出して電動操作部６を固定するための電動操作部固定用内フランジ１９，１９が対向状に一対突出形成されており、また、この電動操作部固定用内フランジ１９，１９に対し９０°変位した内周面には、ガイド溝２０，２０が上下方向にそれぞれ対向状に一対形成されている。また、ガイド溝２０，２０の下端付近の９０°変位した内周面には、磁気センサー（検知手段）Ｓが設けられている。
【００１１】
また、外ケース１８内に上下動可能に内装される手動操作部２１は、図３に示すような構造となっており、手動操作部２１は手動操作駆動部材２２を備えており、手動操作駆動部材２２は、その上面片２２ａに上方へ突出して軸２４を有しており、この軸２４に手動操作ボタン２３が取り付けられるものである。
上面片２２ａの左右両端側から下方側へ垂下して一対の垂下側片２２ｂ，２２ｂが一体形成されており、各垂下側片２２ｂの外面には、縦方向にガイドレール２５が一体形成され、このガイドレール２５，２５が、前述した外ケース１８のガイド溝２０，２０内に嵌まり込んで上下動できるものである。
この垂下側片２２ｂ，２２ｂの下端が、前述した操作受部材１７上に載った状態で外ケース１８内に内装されるものであり、手動操作駆動部材２２の内側に電動操作部６が縦方向に配置されて、電動操作部６の上端の固定フランジ６ｂ，６ｂが、外ケース１８の電動操作部固定用内フランジ１９，１９上にボルト等で固定され、外ケース１８内に縦方向に電動操作部６が固定されるものである。
【００１２】
なお、外ケース１８の上端のフランジ１８ａは、浴槽の上縁面２ｂの下面にパッキン２８を介在させて配置され、浴槽上縁面２ｂ上より操作部フランジ２６をパッキン２７を介在させて上ネジ１８ｂに締め付けて、この操作部フランジ２６により外ケース１８は水密状に浴槽上縁面２ｂに垂下状に固定されるものである。
また、外ケース１８の下端には、押さえナット３１が下ネジ１８ｃに締め付けられるが、押さえナット３１により、スプリング３０を介在させて鍔板２９が前記ガイド溝２０の下端に当接した状態で外ケース１８内に内装されるものである。
【００１３】
図２の状態は、栓体１２の閉止状態を示しており、栓体１２の自重で前記駆動主軸１６は押し上げられた状態となっている。
このような状態から前述したように、台所のリモコン９の湯張りスイッチがＯＮされると、給湯装置８を介して浴室リモコン１０の発信部１０ａから信号が送られ、受信部７ａで受信され、制御部７は排水栓装置３の電動操作部６に駆動信号を送り、電動操作部６のモーターが駆動されて出力軸６ａが図５に示すように下方側へ延びて、操作受部材１７を下方側へ移動させ、これにより駆動主軸１６が下方側へ押されて、作動力伝達部（レリース）５を介して栓部４の栓体１２が上方へ持ち上げられて排水口１１が開状態となる。
【００１４】
栓体１２が持ち上げられると同時にスラストロック機構１３が作動して、栓体１２が開いた状態にロックされる。この状態では、手動操作部２１を構成する手動操作駆動部材２２は自重で手動操作ボタン２３とともに下方へ移動することとなる。
なお、電動操作部６は、その後に自動で出力軸６ａを上方へ移動させて元の位置に復帰し、図６の状態となる。
従って、栓部４の栓体１２が開かれている時には、手動操作ボタン２３は自重で下方へ移動しているため、この操作ボタン２３の下降状態を見ることにより、栓体１２が開いていることを目で良好に確認することができるものである。
なお、操作受部材１７に設けられたマグネットＭが磁気センサー（検知手段）Ｓに近づくことで、電気的に栓体１２の開状態を検知し、制御部７に開状態の信号が送られている。
【００１５】
栓体１２が開いた状態を所定時間維持して、給湯装置８からの湯を排水口１１から捨てて、給湯経路の汚れ等を排水口１１から排出した後に、再度、電動操作部６が駆動されて出力軸６ａが延び、図５の状態となり、この状態で栓部４のスラストロック機構１３がロックを解除して、出力軸６ａは自動で上昇するため、栓体１２は自重で下降して、図２の状態となって排水口１１が閉止され、その状態で浴槽２内に給湯装置８からの湯が溜められるものである。
【００１６】
なお、図５は、電動操作部６を駆動させて栓部４の栓体１２を開けた状態であるが、駆動操作部６が故障したり、また停電の時には、図６に示すように、手動操作ボタン２３を指で下方側へ押圧して、手動操作駆動部材２２を下方側へ移動させ、手動で操作受部材１７を下方へ移動させて、これにより駆動主軸１６を下降させて、栓部４の栓体１２を手動で開けることもできる。
また、もう一度、手動操作ボタン２３を押すことにより、スラストロック機構１３のロックが解除されて栓体１２は自重で下降し、これにより作動力伝達部（レリース）５を介して駆動主軸１６及び操作受部材１７が押し上げられて、手動操作駆動部材２２及び手動操作ボタン２３は図２の状態に戻るのである。
【００１７】
なお、前記排水栓装置３の電動操作部６が動作中である旨をランプの点灯，ブザー等の音で報知する報知手段Ｒが、前記手動操作ボタン２３の近傍に設けられているため、台所のリモコン９のスイッチをＯＮして排水栓装置の電動操作部６を駆動させて栓体１２を開閉させる動作中に、浴室１内にいる人に、電動操作部６が動作中である旨を報知することができ、浴室１内にいる人が手動操作ボタン２３を押すことはなく、排水栓装置３の破損とか故障を確実に防ぐことができるものとなる。また、電動操作部６が作動中であることに気付かず、栓体１２の上を踏んだり、栓体１２上に物を置いたりすることを防ぐことができるものとなる。
なお、図７に示すように、手動操作ボタン２３の近傍に受信部３５を設けた構成とし、受信部３５とともに報知手段Ｒを設けておくことができる。
【００１８】
また、報知手段Ｒは、図８に示すように、前記受信部７ａとともに設けておくこともでき、例えば、図８のように、ランプＲ１と、ブザーまたは音声を発するスピーカーＲ２の両方で報知手段Ｒを構成しておくこともでき、この場合に、まず最初は、ブザーまたはスピーカーＲ２から音または音声を発して、音または音声による報知をし、その後、ランプＲ１のランプ表示に切替えて報知することができるように構成しておけば、ブザーまたはスピーカーＲ２の音または音声が鳴り続けて耳障りとなることもなく、また、ブザーまたはスピーカーＲ２が停止した後でも、ランプＲ１のランプ表示で、電動操作部６が動作中であることを認識できるものとなる。
なお、ブザーまたはスピーカーＲ２により音または音声で報知した場合には、状況によっては台所等でも音または音声を聞くことができ、電動動作部６の動作中であることを確認することができるものとなる。
【００１９】
なお、排水口１１にゴミが詰まるとか、スラストロック機構１３が故障したような場合には、台所のリモコン９のスイッチをＯＮして排水栓装置の電動操作部６を作動させたつもりでも、栓体１２が開閉しない場合があり、そのような故障状態を音または音声またはランプ表示で報知する報知手段Ｒを設けておくと良い。
例えば、台所リモコン９のスイッチがＯＮされて発信部１０ａから操作信号が受信部７ａまたは３５に受信されて、電動操作部６が作動したにもかかわらず、栓体１２が開閉しない場合には、磁気センサー（検知手段）Ｓで栓体１２が作動していないことを検知して、制御部７を介して受信部７ａまたは３５に設けられた報知手段Ｒから故障を知らせることができるものである。
【００２０】
なお、この場合も、ランプＲ１と、音を発するブザーまたは音声を発するスピーカーＲ２の両方で報知手段Ｒを構成しておき、最初は、ブザーまたはスピーカーＲ２により音または音声を発して報知をし、その後、ランプ表示に切替えて報知することができる。
なお、故障時等に、前述した受信部７ａまたは受信部３５に設けた報知手段Ｒから、最初に、音とか音声を発するように構成しておけば、排水栓装置の作動不良を離れた場所でも良好に知ることができるものとなり、ゴミを取り除いたりして対処することができるものとなる。
【００２１】
【発明の効果】
本発明は、浴槽の排水栓の開閉を、浴室内及び台所等の別室に設置したリモコンから操作可能とした排水栓装置において、前記浴室内のリモコンには、前記排水栓装置を操作するための赤外線信号を発信し得る発信部を設け、該発信部からの信号を受信部で受信して、前記排水栓装置が作動されるものにおいて、別室又は浴室内のリモコンで排水栓装置が操作された際に、排水栓装置の電動操作部が動作中である旨を、ランプ表示，音等で報知する報知手段が前記受信部とともに設けられており、報知手段と受信部は浴室内に設けたことにより、排水栓が別室で操作された際に、浴室内に報知手段があるため、浴室に人がいても動作中と認識できることにより、動作中であることに気付かず排水栓の上を踏んだり、物を置いたりすることがなくなる。また、音で報知した場合は、状況によっては台所等でも動作中であることを良好に認識できるものとなる。
【図面の簡単な説明】
【図１】  浴室の概略構成図である。
【図２】  排水栓装置の断面拡大構成図である。
【図３】  排水栓装置の手動操作部と電動操作部の斜視構成図である。
【図４】  外ケースの斜視構成図である。
【図５】  電動で栓部を開けた状態の断面構成図である。
【図６】  手動で栓部を開けた状態の断面構成図である。
【図７】  別例を示す浴室の概略構成図である。
【図８】  別例を示す浴室の概略構成図である。
【符号の説明】
１  浴室
２  浴槽
２ａ  浴槽底部
２ｂ  浴槽上縁面
３  排水栓装置
４  栓部
５  作動力伝達部
６  電動操作部
６ａ  出力軸
７  電源，制御部
８  給湯装置
９  台所リモコン
１０  浴室のリモコン
１１  排水口
１２  栓体
１３  スラストロック機構
１６  駆動主軸
１７  操作受部材
１８  外ケース
２１  手動操作部
２２  手動操作駆動部材
２３  手動操作ボタン
Ｓ  磁気センサー（栓開閉検知手段）
Ｍ  マグネット
Ｒ  報知手段
Ｒ１  報知手段（ランプ）
Ｒ２  報知手段（ブザーまたはスピーカー）
【図１】
0003910471.tif 000002
【図２】
0003910471.tif 000003
【図３】
0003910471.tif 000004
【図４】
0003910471.tif 000005
【図５】
0003910471.tif 000006
【図６】
0003910471.tif 000007
【図７】
0003910471.tif 000008
【図８】
0003910471.tif 000009